(57)【要約】【課題】  Advanced基地局のブロードキャスト信号をLegacy基地局が持っていないことにより、Legacy基地局からの干渉によってAdvanced基地局の制御が不安定になる。【解決手段】  単一の周波数帯を使用する無線通信手段(Legacy)を具備するLegacy基地局と、Legacyと後方互換性を持つ複数の周波数帯を使用する無線通信手段(Advanced)を具備し、フレーム内でAdvancedの領域とLegacyの領域を分割して利用可能なAdvanced基地局が混在する無線通信システムで、Advanced基地局の干渉源推定部１１１が、Advanced端末から報告される干渉情報に基づき、当該端末の受ける干渉がAdvanced基地局、Legacy基地局のどちらが支配的かを判定し、Legacy基地局からの干渉が支配的な場合に、DL電力制御部１１２が、下り送信電力を補正することで、安定した制御を行う。【選択図】図１
2012160986.tif 000002
【特許請求の範囲】
【請求項１】
自セル領域内に位置した第１の端末に、第１の無線通信プロトコルを用いてフレーム内で個別の無線リソースを割当て、前記無線リソースを用いて前記第１の端末とのデータの送受信を行う無線基地局装置であって、
前記第１の端末が受ける干渉が、前記第１の無線通信プロトコルと異なる第２の無線通信プロトコルを用いる第２の無線基地局装置からの干渉かどうかを判定する干渉源推定部を備え、
前記干渉源推定部は、前記第１の端末が測定した、前記第１の基地局装置からの信号の受信電力の変動量と干渉電力の変動量から、前記第１の端末が受ける支配的な干渉が、前記第２の無線基地局装置からの干渉か否かを判定する、
ことを特徴とする無線基地局装置。
【請求項２】
請求項１に記載の無線基地局装置であって、
前記干渉源推定部は、前記受信電力の変動量が小さく、前記干渉電力の変動量が大きい場合に、前記第１の端末が受ける支配的な干渉が、前記第２の無線基地局装置からの干渉であると判定する、
ことを特徴とする無線基地局装置。
【請求項３】
請求項１に記載の無線基地局装置であって、
前記干渉源推定部は、前記干渉電力の変動量と前記受信電力の変動量の差が、所定の閾値以上の場合に、前記第１の端末が受ける支配的な干渉が、前記第２の無線基地局装置からの干渉であると判定する、
ことを特徴とする無線基地局装置。
【請求項４】
請求項１に記載の無線基地局装置であって、
下りの送信電力を制御するDownlink(DL)電力制御部を更に備え、
前記DL電力制御部は、前記干渉源推定部の判定結果が、前記第１の端末が受ける支配的な干渉が前記第２の無線基地局装置であるとする場合に、前記第１の端末の干渉電力の平均値に基づき、前記下りの送信電力を制御する、
ことを特徴とする無線基地局装置。
【請求項５】
請求項４に記載の無線基地局装置であって、
前記DL電力制御部は、前記第１の端末の干渉電力の平均値が、第１の閾値より大きい場合に前記下りの送信電力を上げ、前記第１の端末の干渉電力の平均値が、第２の閾値より小さい場合に前記下りの送信電力を下げる、
ことを特徴とする無線基地局装置。
【請求項６】
請求項１に記載の無線基地局装置であって、
前記第１の端末に干渉電力を報告させ、報告された前記干渉電力を補正する干渉情報補正部を更に備え、
前記干渉情報補正部は、前記干渉源判別部の判定結果が前記第２の無線基地局装置である場合に、前記第１の端末から報告される前記干渉電力を補正する、
ことを特徴とする無線基地局装置。
【請求項７】
請求項６に記載の無線基地局装置であって、
前記干渉情報補正部は、前記干渉源判別部の判定結果が前記第２の無線基地局装置と判定された前記第１の端末から報告される干渉電力において、複数のフレームの前記報告された前記干渉電力を重み付け平均し、前記第１の端末から報告された干渉電力とする、
ことを特徴とする無線基地局装置。
【請求項８】
請求項６に記載の無線基地局装置であって、
前記干渉情報補正部は、前記干渉源判別部の判定結果が前記第２の無線基地局装置と判定された前記第１の端末から報告される干渉電力において、前記第１の端末が干渉電力を測定したシンボルにおける、前記第１の無線通信プロトコルの送信電力と、前記第２の無線通信プロトコルと送信電力の差を乗じることで、前記第１の端末から報告される干渉電力とする、
ことを特徴とする無線基地局装置。
【請求項９】
自セル領域内に位置した第１の端末に、第１の無線通信プロトコルを用いてフレーム内で個別の無線リソースを割当て、前記第１の端末とのデータの送受信を行う無線基地局装置であって、
処理部と、無線信号を送受信する送受信部と、回線インタフェース部を備え、
前記処理部は、
前記第１の端末が受ける支配的な干渉が、前記第１の端末が測定した、前記第１の基地局装置からの信号の受信電力の変動量と干渉電力の変動量から、前記第１の無線通信プロトコルと異なる第２の無線通信プロトコルを用いる第２の無線基地局装置からの干渉か否かを判定する、
ことを特徴とする無線基地局装置。
【請求項１０】
請求項９に記載の無線基地局装置であって、
前記処理部は、
前記受信電力の変動量が小さく、前記干渉電力の変動量が大きい場合に、前記第１の端末が受ける支配的な干渉が、前記第２の無線基地局装置からの干渉であると判定する、
ことを特徴とする無線基地局装置。
【請求項１１】
請求項９に記載の無線基地局装置であって、
前記処理部は、
前記干渉電力の変動量と前記受信電力の変動量の差が、所定の閾値以上の場合に、前記第１の端末が受ける支配的な干渉が、前記第２の無線基地局装置からの干渉であると判定する、
ことを特徴とする無線基地局装置。
【請求項１２】
請求項９に記載の無線基地局装置であって、
前記処理部は、
前記判定の結果が、前記第１の端末が受ける支配的な干渉が、前記第２の無線基地局装置であるとする場合に、前記第１の端末の干渉電力の平均値に基づき、下りの送信電力を制御する、
ことを特徴とする無線基地局装置。
【請求項１３】
請求項１２に記載の無線基地局装置であって、
前記処理部は、
前記第１の端末の干渉電力の平均値が第１の閾値より大きい場合に、前記下りの送信電力を上げ、前記第１の端末の干渉電力の平均値が第２の閾値より小さい場合に、前記下りの送信電力を下げるよう制御する、
ことを特徴とする無線基地局装置。
【請求項１４】
請求項９に記載の無線基地局装置であって、
前記処理部は、
前記判定の結果が前記第２の無線基地局装置である場合に、前記第１の端末の前記干渉電力を補正する、
ことを特徴とする無線基地局装置。
【請求項１５】
請求項１４に記載の無線基地局装置であって、
前記処理部は、
前記判定の結果が前記第２の無線基地局装置と判定された前記第１の端末の前記干渉電力において、複数のフレームの干渉電力を重み付け平均し、前記干渉電力とする、
ことを特徴とする無線基地局装置。
【発明の詳細な説明】
【技術分野】
【０００１】
本発明は、無線通信基地局が無線端末にチャネルを割り当て、データの送受信を行う無線通信システム、及びその無線基地局装置、無線端末に係り、特に無線基地局装置の電力制御技術に関する。
【背景技術】
【０００２】
一般にOFDMA（Orthogonal Frequency Division Multiple Access）を用いるディジタル移動体通信システムでは、フレームと呼ばれる一定の周波数帯域、時間の単位内において、さらに細かく周波数、時間で区切られた無線リソースを用いて複数の端末と通信を行う。IMT-Advancedでは、使用する周波数帯域において非特許文献１、２に示すように、当該フレーム内で、当該システムと後方互換の関係にあるシステムの端末との同時通信ができるように要求されている。ここで、非特許文献１，２に示されるIMT-Advancedの候補技術であるLTE（Long Term Evolution)-AdvancedとIEEE802.16mを例にとると、各々と後方互換の関係にあるシステムとはLTEとIEEE802.16eである。IMT-Advancedシステムの通信手段で基地局と通信する端末（以下、Advanced端末)と後方互換のシステムの通信手段で基地局と通信する端末（以下、Legacy端末)を同時に同じフレーム内で通信させるには、IMT-Advancedシステムの基地局（以下、Advanced基地局)において、DL（Downlink)用のサブフレームとUL（Uplink)用のサブフレームを周波数、または時間で分割し、Advanced端末用への割当とLegacy端末用への割当に利用する。例えばDLサブフレームにおいて時間方向で分割する場合、前半3/5をLegacy端末用、後半2/5をAdvanced端末用への割当に利用する。
【先行技術文献】
【非特許文献】
【０００３】
【非特許文献１】IEEE802.16, P802.16m/D8, Aug. 2010
【非特許文献２】3GPP, TR 36.814 v1.5.0, Nov. 2009
【発明の概要】
【発明が解決しようとする課題】
【０００４】
基地局は端末を収容するために、同期信号や受信品質測定のための信号等、各基地局で予め決められた時間（OFDMシンボル)、周波数（サブキャリア)で恒常的にブロードキャストする信号を持っている。これらの信号は、隣接基地局間で同じ時間、周波数で恒常的な伝送方法とし、端末での受信品質を安定させることでシステムの安定的な制御を実現している。
【０００５】
ここで、Advanced基地局は一般に、Legacy基地局とエリア上で混在して設置される。Advanced基地局はAdvanced端末とLegacy端末を両方収容するため、Advancedシステムのブロードキャスト信号とLegacyシステムのブロードキャスト信号を両方持ち、同じフレーム内の異なる時間、または周波数で伝送している。一方、IMT-Advancedシステムと後方互換のシステムの基地局（以下、Legacy基地局)は、Legacyシステムのブロードキャスト信号のみを持ち、Advancedシステムのブロードキャスト信号の伝送に対応する時間、周波数ではLegacy端末へのトラヒックを伝送する。Advanced基地局の隣接にLegacy基地局が存在した場合、Advancedシステムのブロードキャスト信号を受信する端末では、Advanced基地局からの信号は安定しているが、Legacy基地局はAdvancedシステムのブロードキャスト信号を持たないため、トラヒック依存で信号が変動する。よって、Advancedシステムのブロードキャスト信号がLegacyのトラヒックによって受信品質が変動することによりAdvancedシステムの制御が不安定となる問題がある。
【０００６】
本発明の目的は、上記の課題を解決し、LegacyのトラヒックによるAdvancedシステムのブロードキャスト信号の受信品質の変動に起因して制御が不安定となることのない無線基地局装置を提供することにある。
【課題を解決するための手段】
【０００７】
上記の目的を達成するため、本発明においては、自セル領域内に位置した少なくとも一個の第１の端末に、第１の無線通信プロトコルを用いてフレーム内で個別の無線リソースを割当て、各端末とのデータの送受信を行う第１の無線基地局装置であって、第１の端末が受ける干渉が、第１の無線通信プロトコルと異なる第２の無線通信プロトコルを用いる第２の無線基地局装置からの干渉かどうかを判定する干渉源推定部を備え、この干渉源推定部が、第１の端末が測定した第１の基地局装置からの信号の受信電力の変動量と干渉電力の変動量から、第１の端末が受ける支配的な干渉が第２の無線基地局装置からの干渉かどうかを判定する無線基地局装置を提供する。
【０００８】
また、上記の目的を達成するため、本発明においては、自セル領域内に位置した第１の端末に、第１の無線通信プロトコルを用いてフレーム内で個別の無線リソースを割当て、無線リソースを用いて端末とのデータの送受信を行う無線基地局装置であって、処理部と、無線信号を送受信する送受信部と、回線インタフェース部を備え、処理部は、第１の端末が受ける干渉が、第１の端末が測定した第１の基地局装置からの信号の受信電力の変動量と、干渉電力の変動量から、第１の端末が受ける支配的な干渉が、第１の無線通信プロトコルと異なる第２の無線通信プロトコルを用いる第２の無線基地局装置からの干渉かどうかを判定する無線基地局装置を提供する。
【０００９】
すなわち、上述した課題の少なくとも一の課題を解決するため、本発明の好適な一態様において、複数の無線基地局装置と複数の端末装置とを有し、無線基地局装置と端末装置が無線リソースを用いて通信し、無線基地局装置は、当該システムに所属するAdvanced端末と当該システムと後方互換の関係にあるLegacy端末両方を同じフレーム内に割り当てることができる無線通信システムであって、当該システムのAdvanced基地局は、Advanced端末から報告される干渉情報に基づき、Advanced端末が受ける干渉がAdvanced基地局、Legacy基地局どちらからのものが支配的かを判定し、その判定結果がLegacy基地局である場合にAdvanced基地局の制御を補正する構成とする。より好適な態様において、Advanced端末の受ける干渉について、Legacy基地局からの干渉が支配的な場合に、干渉電力の平均値によってDL送信電力を制御、あるいは、Legacy基地局からの干渉が支配的な場合に、Advanced端末から報告される干渉電力の複数の報告値を端末の受信電力によって重み付け平均し、Advancedシステム相当に報告値を補正する構成とする。
【発明の効果】
【００１０】
本発明によれば、Advanced基地局とLegacy基地局間のハンドオーバ（Hand Over：HO)位置が安定し、Advanced基地局とLegacy基地局間のトラヒックの偏りを抑圧することが可能となる。
【００１１】
また、本発明によれば、Advanced端末の受ける干渉について、UL送信電力制御が安定し、スループットが不安定になることを抑圧することが可能となる。
【図面の簡単な説明】
【００１２】
【図１】第１の実施例におけるAdvanced基地局のソフトウェア、ブロック構成図を示す図である。
【図２】各実施例が適用される移動無線通信システムの一例を示す図である。
【図３】各実施例が適用される移動通信システムの基地局配置の一例を示す図である。
【図４】各実施例に係る、Advanced端末とAdvanced基地局で伝送される通信フレームの一例を示す図である。
【図５】各実施例に係る、Advanced端末、Legacy端末とAdvanced基地局で伝送される通信フレームの一例を示す図である。
【図６】各実施例に係る、Advanced端末、Legacy端末とAdvanced基地局で伝送される通信フレームの一例を示す図である。
【図７】各実施例に係る、Legacy端末とLegacy基地局で伝送される通信フレームの一例を示す図である。
【図８】各実施例に係る、Advanced端末がAdvanced基地局からLegacy基地局にHOするシーケンス図である。
【図９】各実施例に係る、Advanced基地局とLegacy基地局間のHOポイントのずれの一例を示す図である。
【図１０】第１の実施例に係る、干渉源推定部のブロック構成図を示す図である。
【図１１】第１の実施例におけるAdvanced基地局のハードウェア、ブロック構成の一例を示す図である。
【図１２】第１の実施例におけるLegacy基地局のソフトウェア、ブロック構成の一例を示す図である。
【図１３】第１の実施例におけるLegacy基地局のハードウェア、ブロック構成の一例を示す図である。
【図１４】第１の実施例におけるAdvanced端末のソフトウェア、ブロック構成の一例を示す図である。
【図１５】第１の実施例におけるAdvanced端末のハードウェア、ブロック構成の一例を示す図である。
【図１６】第１の実施例に係る、DL電力制御部１０１２のブロック構成図である。
【図１７】第１の実施例に係る、干渉情報集計部のフローチャートを示す図である。
【図１８】第１の実施例に係る、Advanced端末がAdvanced基地局に干渉情報を報告するシーケンス図である。
【図１９】第１の実施例に係る、干渉情報テーブルの構成を示す図である。
【図２０】第１の実施例に係る、Advanced/Legacy判別部のフローチャートを示す図である。
【図２１】第１の実施例に係る、干渉値算出部のフローチャートを示す図である。
【図２２】第１の実施例に係る、電力制御値決定部のフローチャートを示す図である。
【図２３】第１の実施例のDL電力制御を示す概念図である。
【図２４】第２の実施例に係る、Advanced基地局のUL電力制御を説明するためのシーケンス図である。
【図２５】第２の実施例におけるAdvanced基地局のソフトウェア、ブロック構成図である。
【図２６】第２の実施例におけるAdvanced基地局のハードウェア、ブロック構成図である。
【図２７】第２の実施例に係る、干渉情報補正部のフローチャートを示す図である。
【発明を実施するための形態】
【００１３】
以下、本発明を適用した無線通信システム、および無線通信システムにおける無線通信基地局と無線端末の種々の実施例について、図面を参照して詳細に説明する。それに先立ち、本発明の各種の実施例が適用される無線通信システムの基本構成について説明する。
【００１４】
各種の実施例の無線通信システムは、例えば図２に示すようなネットワーク構成において適用される。無線通信システムは、複数の基地局２０ｂ１、２０ｂ２、・・・２０ｂＮと、基地局の無線通信圏内となるセル２ｃ１、２ｃ２、・・・２ｃＮ内において、基地局と無線で通信する複数の端末２０ｍ１、２０ｍ２、・・・とからなる。基地局２０ｂ１、２０ｂ２、・・・２０ｂＮはルータ（またはＬ３スイッチ）２０１とゲートウェイ（GW）２０２を介して、外部の通信ネットワーク、例えば、インターネット（NW）２０３に接続されている。ただし、各実施例に係るネットワーク構成はこれに限定するものではなく、基地局と端末が無線アクセスを行うことが可能なネットワーク構成であればよい。
【００１５】
また、図３に各種の実施例の基地局の面的配置の一例を示す。以下では、本発明に係る無線通信システムの基地局と端末を、Advanced基地局、Advanced端末、本発明に係る無線通信システムと後方互換の関係にある無線通信システムの基地局と端末をLegacy基地局、Legacy端末と記載する。図３では、Advanced基地局とLegacy基地局が混在する環境を示してある。Advanced基地局３０１ＡはAdvanced端末３０２ＡとLegacy端末３０２Ｌと通信可能である。一方、Legacy基地局３０１ＬはLegacy端末３０２Ｌとのみ通信可能である。ここで、Advanced端末３０２ＡはLegacy基地局と通信可能な無線インタフェースを持ち、Legacy基地局３０１Ｌとも通信可能である。その場合、Advanced端末３０２ＡはLegacy端末３０２Ｌとして振る舞う。また、図３の基地局配置は一例であり、これに限定するものではない。各実施例の無線通信システムは、このような基地局配置において実現される。
【００１６】
図４に各実施例の無線通信システムに使用するフレーム構成の一例を示す。図４はIEEE802.16mのフレーム構成である。通信に使用できる周波数帯域幅をシステム帯域幅４０４と呼ぶ。システム帯域幅をサブチャネル４０１単位に分割し、時間方向にサブフレーム４０２単位に分割し、１サブチャネル、１サブフレームで区切られた時間、周波数領域をPRU （Physical Resource Unit)４０３とする。端末への無線リソースの割当情報やシステム構成等の制御情報は、いずれか１つ、または複数のサブフレーム４０２の制御チャネル４０７を用いて伝送される。ここで、１サブチャネル、１サブフレームで区切られたPRUは端末に割り当てることのできる最小単位である。また、端末との同期のため、Ａ同期信号４０８をブロードキャストしている。このような構成は、例えば、TDD（Time Division Duplex）のOFDMA（Orthogonal Frequency Division Multiple Access)を仮定した場合に想定されるフレーム構成である。
【００１７】
図４に示すフレーム構成は、Advanced端末のみが接続する場合の構成である。また、図５に各実施例に係るAdvanced基地局において、Advanced端末とLegacy端末両方を収容する場合のフレーム構成の一例を示す。Legacy端末とAdvanced端末両方を収容する場合、フレームのDL（Downlink)、UL（Uplink)各々について、Legacy用フレーム５０７、５０９とAdvanced用フレーム５０８、５１０に分割する。Legacy端末はLegacy用フレーム５０７、５０９で、Advanced端末はAdvanced用フレーム５０８、５１０を用いて通信を行うことができる。ただし、フレームの分割方法はLegacy用フレームとAdvanced用フレームを分けて存在させるものであればこれに限定するものではない。例えば、周波数方向への分割や、時間方向の分割において、Legacy用フレーム、Advanced用フレーム、Legacy用フレームの順に並んでおり、図５に示すような２分割配列になっていなくてもよい。
【００１８】
ここで、図６に、IEEE802.16mに対して後方互換の関係にあるIEEE802.16eの端末を収容する場合のフレーム構成の一例を示す。Legacy端末に対しては、Legacy用フレームにおけるLegacy制御チャネル６１２を用いて制御情報を送信し、Legacyシステムにおける割当単位のスロット６１１を用いて通信を行う。ここで、Legacy端末のためにブロードキャストするＬ同期信号６１３はＡ同期信号６１４と異なるタイミングで伝送される。ただし、スロット、PRUの定義は時間、周波数、符号等、無線を使用して通信するものであれば、図４、図５、図６の構成に限定するものではない。例えば、TDMA（Time Division Multiple Access)の場合はシステム帯域をサブチャネルに分割せず、FDMA（Frequency Division Multiple Access)の場合はサブスロットに分割しない。また、各実施例は図４、図５、図６記載の構成への適用に限定するものではなく、例えばFDD（Frequency Division Duplex）のように、DLとULで異なる周波数を使用する構成においても適用可能である。
【００１９】
一方、図７にLegacy基地局のフレーム構成の一例を示す。ブロードキャストされる同期信号はＬ同期信号７１３のみで、図６に示すAdvanced基地局のＡ同期信号６１４に対応する信号は存在せず、トラヒック用の割当が行われる。よって、端末がＡ同期信号のCINR （Carrier to Interference plus Noise Ration) （CINR＿A)とＬ同期信号のCINR（CINR＿L)を測定すると、CINR＿LはLegacy基地局から伝送されるトラヒックに関わらず一定だが、CINR＿AはLegacy基地局から伝送されるトラヒックに依存して変動する。以下では、CINR＿Aの変動がAdvancedシステムのハンドオーバ（HO)に与える影響について説明する。
【００２０】
図８に、Advanced基地局からLegacy基地局へのAdvanced端末のハンドオーバのシーケンスの一例を示す。ステップ８０１で、Advanced基地局はＡ同期信号をブロードキャストしている。Ａ同期信号を受信した端末は、ステップ８０２でＡ同期信号のCINR＿Aを測定する。一方、Advanced基地局とLegacy基地局はステップ８０３でＬ同期信号をブロードキャストしている。Ｌ同期信号を受信した端末は、ステップ８０４でＬ同期信号のCINR＿Lを測定する。次に、端末はステップ８０５でCINR＿AとCINR＿Lを比較し、ステップ８０６でCINR＿AとCINR＿Lの差分が閾値Th＿ho以上、つまりCINR＿L-CINR＿A>=Th＿hoの場合に、ステップ８０７でLegacy基地局にハンドオーバする。
【００２１】
Ｌ同期信号はAdvanced基地局、Legacy基地局共にブロードキャストしているため、CINR＿Lは安定する。一方、Ａ同期信号はAdvanced基地局ではブロードキャストしているが、Legacy基地局では対応する時間、周波数でトラヒックの割当が行われるため、Legacy基地局からの信号強度がトラヒック依存で変動し、CINR＿Aが変動する。
【００２２】
Legacy基地局のトラヒックが少ない場合、図９の（ａ）に示すように、Ａ同期信号におけるCINR＿A測定時の干渉電力が小さいためCINR＿Aが大きくなる。CINR＿Aが大きくなると、CINR＿LよりCINR＿Aが相対的に大きくなるため、ステップ８０６でCINR＿L-CINR＿A>=Th＿hoとなる位置がLegacy基地局側に移動することで、ハンドオーバ位置がLegacy基地局側に移動する。ハンドオーバ位置がLegacy基地局側に移動すると、Advanced基地局からLegacy基地局にハンドオーバしにくくなり、Legacy基地局のトラヒックがより少なくなる。つまり、Legacy基地局のトラヒックが少ない場合、よりLegacy基地局のトラヒックが少なくなるような制御が働くことで、基地局間のトラヒックに偏りが生じスループットが劣化する。
【００２３】
一方、Legacy基地局のトラヒックが多い場合、図９の（ｂ）に示すように、Ａ同期信号におけるCINR＿A測定時の干渉電力が大きいためCINR＿Aが小さくなる。CINR＿Aが小さくなると、CINR＿LよりCINR＿Aが相対的に小さくなるため、ステップ８０６でCINR＿L-CINR＿A>=Th＿hoとなる位置がAdvanced基地局側に移動することで、ハンドオーバ位置がAdvanced基地局側に移動する。ハンドオーバ位置がAdvanced基地局側に移動すると、Advanced基地局からLegacy基地局にハンドオーバしやすくなり、Legacy基地局のトラヒックがより多くなる。つまり、Legacy基地局のトラヒックが多い場合、よりLegacy基地局のトラヒックが多くなるような制御が働くことで、基地局間のトラヒックに偏りが生じスループットが劣化する。
【実施例１】
【００２４】
上述した無線通信システムのスループットの劣化に対応するための第１の実施例に係る無線通信システムとして、Advanced端末から報告される干渉情報に基づき、送信電力等を制御する構成について説明する。本実施例では、端末から受信した干渉情報からAdvanced基地局、Legacy基地局どちらからの干渉が支配的かを判定し、Legacy基地局からの干渉が支配的な場合、干渉値に従ってAdvanced用フレームのDL送信電力値を変更する。
【００２５】
図１のブロック図を用いて、第１の実施例に係るAdvanced基地局のソフトウェア機能構成について説明する。
【００２６】
Advanced基地局は、コントローラ１１０と、端末との間で無線電波を送受信するアンテナ１０９と、アンテナ１０９に接続された送受信切替え用のスイッチ１０８と、ルータとの接続回線に接続される回線インタフェース１０１と、回線インタフェース１０１に接続された上位レイヤ処理部１０２と、スイッチ１０８に接続された送信ＲＦ（Radio Frequency）部１０６および受信ＲＦ部１０７と、送信ＲＦ部１０６に接続されたDownlinkベースバンド処理部１０４と、上位レイヤ処理部１０２と受信ＲＦ部１０７との間に接続されたUplinkベースバンド処理部１０５と、上位レイヤ制御部１０２とDownlinkベースバンド処理部１０４との間に接続されたスケジューリング部１０３と、干渉を受けている支配的な通信システム種別を推定する干渉源推定部１１１と、DownlinkのAdvanced用フレームの電力制御を行うDL電力制御部１１２を含む。本実施例においては、干渉源推定部１１１とDL電力制御部１１２が新たに追加された構成を有している。
【００２７】
次に、図１１に示すブロック構成図を用いて、第１の実施例のAdvanced基地局のハードウェア構成の一例について説明する。
【００２８】
図１に示した機能ブロックの送信RF部１０６、受信RF部１０７、スイッチ１０８、アンテナ１０９は、無線信号を送受信する送受信機１１０３に格納され、回線インタフェース１０１はI/F１１０４に格納され、ネットワーク１１０５に接続されている。他の機能ブロックは、プロセッサ１１０１が実行するプログラムモジュールであり、これらのプログラムモジュールはメモリ１１０２に格納されている。干渉源推定部１０１１は、後述するように、データメモリ１１０６上に形成された各種のテーブルを参照して、干渉を受けている支配的な通信システム種別を推定する。DL電力制御部１１２も、後述するように、データメモリ１１０６上に形成された各種のテーブルを参照して、Advanced用フレームのDownlink電力制御を行う。
【００２９】
図１に示した本実施例の機能ブロック構成において、Downlink（DL)では、まず回線インタフェース１０１から伝送されたデータを上位レイヤ制御部１０２で処理する。次に、干渉源推定部１１１にて、上位レイヤ制御部１０２からの隣接する基地局の情報、またはUplinkベースバンド処理部１０５からの信号を用いて干渉を受けている支配的な通信システムがAdvancedシステムなのか、Legacyシステムなのかを推定する。干渉源推定部１１１の詳細は後で図１０を用いて説明する。
【００３０】
DL電力制御部１１２では、干渉源推定部１１１の結果を受けて、Legacyシステムからの干渉が支配的と推定された場合にAdvanced用フレームのDownlink電力の制御を行う。スケジューリング部１０３にて、上位レイヤ制御部１０２からのサービスの情報、受信RF部１０７からの信号、Uplinkベースバンド処理部１０５からの信号、及びDL電力制御部１１２からの送信電力情報を用いて各スロットの受信品質を測定し、Downlink、Uplinkのリソース割当を決定する。ただし、スケジューリング部１０３で利用する情報は上記に限定するものではなく、他の処理部からの情報を利用することも考えられる。
【００３１】
その後、データはDownlinkベースバンド処理部１０４に移行し、送信ＲＦ部１０６でＲＦ処理が行われる。そして、スイッチ１０８を送信側に切り替え、アンテナ１０９から無線信号が送信される。以上の処理は、コントローラ１１０からの制御信号に従い動作する。コントローラ１１０は、図１１のプロセッサ１１０１が実行するプログラムモジュールである。
【００３２】
Uplink（UL)では、まずスイッチ１０８を受信側に切り替え、アンテナ１０９で無線信号を受信する。次に、受信したデータは受信RF部１０７にてRF処理が行われる。その後、データはUplinkベースバンド処理部１０５に移行し、上位レイヤ制御部１０２で処理し、回線インタフェース１０１からデータを伝送する。以上の処理は、コントローラ１１０からの制御信号に従い動作する。
【００３３】
また、本実施例に係るLegacy基地局のソフトウェア構成の一例を図１２に示す。図１２は、Advanced基地局のソフトウェア構成を示す図１０の干渉源推定部１１１とDL電力制御部１１２がない構成で、他の構成は同一であるので説明を省略する。
【００３４】
図１３にLegacy基地局のハードウェア構成の一例を示す。図１３のハードウェア構成は、図１１に示したAdvanced基地局のハードウェア構成と同じであるが、メモリ１３０２の内部に干渉源推定プログラム１１０２ａとDL電力制御プログラム１１０２ｂが存在しない構成となっている点で相違する。
【００３５】
図１４は、本実施例に係るAdvanced端末のソフトウェア構成の一例を示すブロック構成図である。
【００３６】
Advanced端末は、コントローラ１４１０と、基地局との間で無線電波を送受信するアンテナ１４０９と、アンテナ１４０９に接続された送受信切替え用のスイッチ１４０８と、インタフェース１４０１に接続された上位レイヤ処理部１４０２と、スイッチ１４０８に接続された送信ＲＦ部１４０６および受信ＲＦ部１４０７と、上位レイヤ処理部１４０２と送信ＲＦ部１４０６の間に接続されたUplinkベースバンド処理部１４０４と、上位レイヤ処理部１４０２と受信ＲＦ部１４０７との間に接続されたDownlinkベースバンド処理部１４０５を含む。更に、上位レイヤ処理部１４０２と受信ＲＦ部１４０７との間に接続された受信品質測定部１４１３を備える。
【００３７】
図１５に、Advanced端末、あるいはLegacy端末等の端末のハードウェア構成の一例を示した。図１４のAdvanced端末の送信RF部１４０６、受信RF部１４０７、スイッチ１４０８、アンテナ１４０９は、無線信号を送受信する送受信機１５０３に格納され、インタフェース１４０１はI/F１５０４に格納され、ユーザインタフェース１５０５に接続されている。他の機能ブロックは、プロセッサ１５０１が実行するプログラムモジュールであり、これらのプログラムモジュールはメモリ１５０２に格納されており、ユーザインタフェース１５０５からのデータに従い動作する。Legacy端末も同様であることは言うまでもない。
【００３８】
図１４において、Uplink（UL)では、まずユーザフェース１５０５から伝送されたデータを上位レイヤ制御部１４０２で処理する。次に、データはUplinkベースバンド処理部１４０４に移行し、送信ＲＦ部１４０６でＲＦ処理が行われる。そして、スイッチ１４０８を送信側に切り替え、アンテナ１４０９から無線信号が送信される。以上の処理は、コントローラ１４１０からの制御信号に従い動作する。コントローラ１４１０はプロセッサ１５０１が実行するプログラムモジュールである。
【００３９】
Downlink（DL)では、まずスイッチ１４０８を受信側に切り替え、アンテナ１４０９で無線信号を受信する。次に、受信RF部１４０７にてRF処理が行われる。その後、データはDownlinkベースバンド処理部１４０５に移行し、上位レイヤ制御部１４０２で処理され、ユーザインタフェース１４０１に出力される。また、受信品質測定部１４１３でスロットの受信品質を測定し、上位レイヤ制御部１４０２に伝送する。以上の処理は、コントローラ１４１０からの制御信号に従い動作する。コントローラ１４１０はDownlinkで伝達されるフレーム構成情報を各処理部に伝達する機能を持ち、Advanced基地局に接続するLegacy用端末では伝達されるフレーム構成情報から、Legacy用フレームで、Advanced端末ではAdvanced用フレームで上記処理を行う。ここで、ユーザインタフェースは、これに限定するものではなく、他の機器とのインタフェースも考えられる。
【００４０】
続いて、図１に示したAdvanced基地局内の干渉源推定部１１１の一実施例を説明する。図１０に、干渉源推定部１１１の一実施例の詳細ブロック構成を示した。Advanced基地局に接続している端末が受ける干渉には、Advanced基地局の信号とLegacy基地局の信号が存在するため、干渉源推定部１１１ではどちらからの干渉が支配的かを推定する。
【００４１】
図１０において、干渉源推定部１１１は、端末から報告される干渉情報を集計する干渉情報集計部１００１と、集計した干渉情報を記憶する干渉情報テーブル１００３と、支配的な干渉がAdvanced基地局からの信号なのか、Legacy基地局からの信号なのかを推定するAdvanced/Legacy判別部１００２からなる。
【００４２】
干渉情報集計部１００１はUplinkベースバンド処理部１０５から伝送される、端末から基地局へ報告された干渉情報を受信すると動作し、Advanced/Legacy判別部１００２はコントローラ１１０における干渉源の推定を行う干渉源推定信号を受けて動作する。干渉情報集計部１００１とAdvanced/Legacy判別部１００２は、図１１に示した基地局のメモリ１１０２内部のプログラムモジュールである干渉源推定決定プログラム１１０２ａとして存在し、干渉情報テーブル１００３は基地局のデータメモリ１１０６に格納されている。
【００４３】
図１６に、DL電力制御部１１２の一実施例の詳細ブロック構成図を示した。DL電力制御部１１２は、干渉源推定部１１１の推定結果がLegacy基地局の場合、Advanced用フレームの電力制御を行う。DL電力制御部１１２は、隣接基地局からの干渉値を算出する干渉値算出部１６０１と、Advanced用フレームのDL電力制御値を決定する電力制御値決定部１６０２と、Advanced用フレームのDL電力制御値を記憶するDL電力制御テーブル１６０３からなる。干渉値算出部１６０１は、干渉源推定部１１１の推定結果を受けて動作し、電力制御値決定部１６０２はコントローラ１１０におけるDL電力制御信号を受けて動作する。干渉値算出部１６０１と電力制御値決定部１６０２は、図１１に示した通り、基地局のメモリ１１０２内部のプログラムモジュールであるDL電力制御プログラム１１０２ｂとして存在し、DL電力制御テーブル１６０３は基地局のデータメモリ１１０６に格納されている。
【００４４】
ここで、本実施例のAdvanced基地局内の干渉源推定部１１１とDL電力制御部１１２の機能動作について説明する。まず、図１０の干渉情報集計部１００１では、端末から報告される干渉情報を集計し干渉情報テーブル１００３に保存する。この処理のフローチャートを図１７に示す。
【００４５】
図１７のステップ１７０１では、集計する端末番号をk=1と初期化する。
【００４６】
ステップ１７０２では、端末kがAdvanced端末かどうかを判定し、Advanced端末であればステップ１７０３に移行し端末の集計を行う。Advanced端末でなければステップ１７０５に移行し次の端末を検索する。これは、Advanced端末のみがAdvanced用フレームを測定することができるためである。ステップ１７０３では、端末kの報告値を抽出する。
【００４７】
図１８に、Advanced端末が干渉情報を報告するシーケンスを示す。Advanced基地局はAdvanced端末に対して干渉情報を報告するためにULチャネルをステップ１８０１で割り当てる。割り当てられた端末は、当該チャネルで定期的にAdvanced基地局に対してDLの干渉情報をステップ１８０２で報告する。ただし、端末の報告方法は基地局の指示により行われるものであればこれに限定するものではない。例えば、基地局が1回のみ端末に報告させるように指示し、端末が1回のみ回答する方式でも良い。また、端末が報告する干渉情報として、現在接続中の基地局のCINR、RSSI （Received Signal Strength Indicator)、SIR （Signal to Interference Ratio)、NI （Noise plus Interference)、隣接基地局のCINR、RSSI等がある。ただし、干渉情報は干渉信号または所望信号に関わる数値であればこれに限定するものではない。
【００４８】
図１７に戻り、ステップ１７０４では、端末kの報告値を干渉情報として干渉情報テーブル１０３に書き込む。
【００４９】
図１９に、干渉情報テーブル１００３の一例を示す。端末番号欄１９０１にAdvanced端末の端末番号を書き込み、干渉情報欄１９０２に報告された干渉情報を書き込む。また、後述するAdvanced/Legacy判定部１０２の判定結果を干渉源欄１９０３に書き込む。図１９は接続中の基地局のCINR、RSSI、SIR、NIの平均と変動を格納するテーブルとなっているが、これに限定するものではない。また、平均と変動は端末に予め計算と報告を指示し、端末から受け取った情報を格納する、または報告値から基地局で算出する。平均は以下の式ように算出する。
γ（ｔ）＝αγ（ｔ−１）＋（１−α）γ＿tmp  −  −  −  数式1
ここで、γ（t)は時刻tの干渉情報の平均、αは０＜＝α＜１の忘却係数、γ＿tmpは現時刻の干渉情報の平均である。ただし、時間平均を計算するものであれば平均方法は上記に限定するものではない。例えば、一定個数の報告値を記憶しておき、単純平均をとってもよい。また、変動は以下の式のように算出する。
γ２（ｔ）＝αγ２（ｔ−１）＋（１−α）｜γ＿tmp｜＾2  −  −  −数式2
σ（t）＝｜γ2（t)-γ（t)＾2｜                          −  −  −  数式3
ここで、γ2（t)は時刻tの干渉情報の変動、αは０＜＝α<1の忘却係数、｜γ＿tmp｜＾2は現時刻の干渉情報の平均の２乗である。σ（t)により干渉情報の分散が求まる。ただし、干渉情報の変動値を計算するものであれば計算方法は上記に限定するものではない。例えば、一定個数の報告値を記憶しておき、分散を求めてもよい。
【００５０】
ステップ１７０５では、検索する端末番号kをインクリメントする。
【００５１】
ステップ１７０６でk>K、つまり全端末の集計が終了していれば処理を終了する。Ｋ≦Ｋつまり、全端末の集計が終了していなければステップ１７０２に戻る。ここで、KはAdvanced基地局に接続している端末総数である。
【００５２】
以上説明した図１７のフローチャートは、端末から報告される干渉情報に基づき、平均値と変動値を計算しテーブル化して保存するものであればこれに限定するものではない。
【００５３】
図１０のAdvanced/Legacy判別部１０２では、各端末の干渉情報の平均値と変動値からAdvanced基地局、Legacy基地局のどちらからの干渉が支配的なのかを判定する。
【００５４】
図２０にこのAdvanced/Legacy判別部１０２の処理フローチャートの一例を示す。ステップ２００１では、干渉情報テーブル１０３から、Advanced端末の受信電力の変動値P＿var、つまりRSSIの分散を抽出する。ただし、P＿varの導出方法は受信電力の変動値を表すものであればこれに限定するものではない。例えば、報告されたCINRとNIから、受信電力を（CINR-NI)で計算し、数式２、数式３で分散を計算しても良い。
【００５５】
ステップ２００２で、受信電力の変動が閾値Th＿r以下、つまりP＿var＜＝Th＿rの場合、ステップ２００３に移行する。受信電力の変動が閾値を超える、つまりP＿var>Th＿rの場合、干渉源の推定に本端末を使用しないこととし、ステップ２００６に移行する。
【００５６】
ステップ２００３では、干渉電力の変動値I＿var、つまりNIの分散を抽出する。ただし、I＿varの導出方法は干渉電力の変動値を表すものであればこれに限定するものではない。例えば、報告されたCINRとRSSIから、干渉電力を（RSSI-CINR)と計算し、数式２、数式３で分散を計算しても良い。
【００５７】
ステップ２００４で、干渉電力の変動値が閾値Th0以上、つまりI＿var>=Th0の場合、Legacy基地局からの干渉が支配的であると判定しステップ２００５に移行する。干渉電力の変動値が閾値Th0以下、つまりI＿var<Th0の場合、Legacy基地局からの干渉が支配的でないと判定しステップ２００６に移行する。
【００５８】
ステップ２００５では、Legacy基地局からの干渉が支配的であるとし、干渉情報テーブル１０３の干渉源欄１９０３に1を書き込む。
【００５９】
ステップ２００６では、Legacy基地局からの干渉が支配的でない、または判定に使用しなかったとし、干渉情報テーブル１０３の干渉源欄に１９０３に0を書き込む。
【００６０】
先に説明した通り、Advanced基地局に接続しているAdvanced端末の干渉には、Advanced基地局からの干渉とLegacy基地局からの干渉がある。Advanced基地局からの干渉は、ブロードキャスト信号のため、変動が少ない。一方、Legacy基地局からの干渉は、DLトラヒックのため、トラヒックの有無で信号が変化するため干渉の変動が大きい。よって、Advanced/Legacy判別部１０２では、干渉の変動の大きさによってLegacy基地局からの干渉が支配的かどうかを判定する。
【００６１】
Advanced/Legacy判別部１００２では、干渉電力の変動値によってLegacy基地局からの干渉が支配的かどうかを判定するものであれば、上述の例に限定するものではない。例えば、図２０のフローチャートでは、ステップ２００１、２００２で、受信電力の変動が少ない、つまり移動速度の小さい端末に限定することで干渉源からの干渉信号の変動値を観測しやすくし、判定精度の向上を図っているが、このように端末を限定しなくても良い。この場合、受信電力の変動値に対して、干渉電力の変動値がどの程度大きいかでLegacy基地局からの干渉が支配的かどうかを判定する方法が考えられる。
【００６２】
次に、図１６に示したDL電力制御部１１２の動作について説明する。干渉値算出部１６０１では、Legacy基地局からの干渉が支配的な端末の干渉の平均値を計算する。
【００６３】
この動作のフローチャートを図２１に示す。同図において、ステップ２１０１では、干渉情報テーブル１０３の干渉源欄１９０３が1の端末、つまりLegacy基地局からの干渉が支配的な端末を抽出する。
【００６４】
ステップ２１０２では、抽出した端末の干渉電力の平均値、つまりNIを抽出する。ただし、干渉電力の平均値を計算するものであればこれに限定するものではない。例えば、報告されたCINRとRSSIから、干渉電力を（RSSI-CINR)と計算し、数式１で平均値を計算しても良い。
【００６５】
ステップ２１０３では、ステップ２１０２で計算した干渉電力の平均値を端末間で以下のように平均しI＿ms＿aveを求める。
I＿ms＿ave=（I＿1+I＿２＋…Ｉ＿L)/L                    −  −  −  数式4
ここで、I＿iは端末iの干渉電力の平均値、Lは抽出した端末数である。ただし、I＿ms＿aveの計算方法は端末間の干渉電力の平均値を求めるものであればこれに限定するものではない。例えば、受信電力が小さい、つまりセルエッジに近く干渉を大きく受け、干渉電力の推定精度が高いと考えられる端末の重みを大きくするように、重み付けして平均化しても良い。干渉値算出部１６０１は、Legacy基地局からの干渉が支配的な端末の干渉を平均するものであればこれに限定するものではない。
【００６６】
図１６のDL電力制御部１１２の電力制御値決定部１６０２では、干渉の平均値によってAdvanced用フレームのDL送信電力を変更する。このフローチャートを図２２に示す。
【００６７】
ステップ２２０１では、干渉値算出部１６０１で計算したI＿ms＿aveを抽出する。
【００６８】
ステップ２２０２で、I＿ms＿aveが閾値Th＿up以上、つまりI＿ms＿ave>=Th＿upの場合、Legacy基地局からの干渉が支配的、かつトラヒックが多いと判断し、ステップ２１０３に移行する。I＿ms＿aveが閾値Th＿up未満、つまりI＿ms＿ave<Th＿upの場合、ステップ２１０４に移行する。
【００６９】
ステップ２２０３では、隣接するLegacy基地局のトラヒックが多いと判断し、DL送信電力をδ１上げる。DL送信電力を上げることで、Advanced端末のHOポイントが隣接するLegacy基地局に近くなり、Legacy基地局へHOしトラヒックがLegacy基地局に偏ることを抑制できる。
【００７０】
ステップ２２０４で、I＿ms＿aveが閾値Th＿down以下、つまりI＿ms＿ave＜＝Th＿downの場合、Legacy基地局からの干渉が支配的、かつトラヒックが少ないと判断し、ステップ２２０５に移行する。I＿ms＿aveが閾値Th＿downを超える、つまりI＿ms＿ave>Th＿downの場合、DL送信電力を変更せずステップ２２０６に移行する。
【００７１】
ステップ２２０５では、隣接するLegacy基地局のトラヒックが少ないと判断し、DL送信電力をδ２下げる。DL送信電力を下げることで、Advanced端末のHOポイントがAdvanced基地局に近くなり、Legacy基地局へHOせずトラヒックがAdvanced基地局に偏ることを抑制できる。
【００７２】
ステップ２２０６で、DL送信電力が最大送信電力P＿tx＿maxを超える場合、ステップ２２０７に移行する。DL送信電力が最大送信電力P＿tx＿maxを超えない場合、ステップ２２０８に移行する。
【００７３】
ステップ２２０７では、DL送信電力が最大値を超えているため、DL送信電力をP＿tx＿maxにする。
【００７４】
ステップ２２０８で、DL送信電力が最小送信電力P＿tx＿minを下回る場合、ステップ２２０９に移行する。DL送信電力が最小送信電力P＿tx＿minを下回らない場合、処理を終了する。
【００７５】
ステップ２２０９では、DL送信電力が最小値を下回っているため、DL送信電力をP＿tx＿minにする。
【００７６】
電力制御値決定部１６０２は、干渉電力の平均値によってAdvanced用フレームのDL送信電力を変更するものであればこれに限定するものではない。
【００７７】
以上説明した、本実施例に係るDL電力制御の動作について、図２３を用いて纏めると以下の通りである。
【００７８】
図２３はAdvanced基地局のフレーム構成を模式的に表したもので、図５のフレーム構成と同様である。隣接するLegacy基地局からの干渉が大きい場合、Legacy基地局のトラヒックが多いと推定し、図２３の（ａ）のようにAdvanced用フレームのDL送信電力を上げる。Advanced用フレームのDL送信電力が上がると、Advanced基地局側のCINR＿Aが高く、隣接するLegacy基地局側のCINR＿Lが小さくなるため、HOポイントがLegacy基地局側に移動する。HOポイントがLegacy基地局側に移動するとLegacy基地局にHOしにくくなるため、Legacy基地局へのトラヒックの偏りを抑圧できる。逆に、隣接するLegacy基地局からの干渉が小さい場合、Legacy基地局のトラヒックが少ないと推定し、図２３の（ｂ）のようにAdvanced用フレームのDL送信電力を下げる。Advanced用フレームのDL送信電力が下がると、Advanced基地局側のCINR＿Aが低く、隣接するLegacy基地局側のCINR＿Lが大きくなるため、HOポイントがAdvanced基地局側に移動する。HOポイントがAdvanced基地局側に移動するとLegacy基地局にHOしやすくなるため、Advanced基地局へのトラヒックの偏りを抑圧できる。本実施例の構成を適用することにより、無線通信システムは、Legacy基地局とAdvanced基地局でブロードキャスト信号が共通しないことに起因する基地局間のトラヒックの偏りを抑圧することが可能となる。
【実施例２】
【００７９】
続いて、第２の実施例を図面に従い説明する。実施例２は、端末から報告される干渉情報に基づき、Legacy基地局のトラヒック依存でUL送信電力制御に使用する干渉情報の変動を抑圧し、UL送信電力が安定し、スループットの変動を抑圧することが可能なAdvanced基地局を提供するものである。
【００８０】
実施例１で示したように、端末がＡ同期信号のCINR （CINR＿A)とＬ同期信号のCINR（CINR＿L)を測定すると、CINR＿LはLegacy基地局から伝送されるトラヒックに関わらず一定だが、CINR＿AはLegacy基地局から伝送されるトラヒックに依存して変動する。以下でまず、CINR＿Aの変動がAdvancedシステムのUL電力制御に与える影響について説明する。
【００８１】
CINR＿Aの変動の要因は、干渉の変動である。UL電力制御では、Advanced端末で観測されるＡ同期信号の干渉情報から、干渉が大きい場合はセルエッジに近いと判断し、隣接セルへの干渉を抑えるため送信電力を下げる。一方、干渉が小さい場合はセル中心に近いと判断し、隣接セルへの干渉が少ないため送信電力を上げる。
【００８２】
図２４にそのシーケンス図を示す。ステップ２４０１では、Advanced基地局はＡ同期信号をブロードキャストしている。
【００８３】
ステップ２４０２では、Advanced端末がＡ同期信号の干渉を測定する。
【００８４】
ステップ２４０３で、Advanced端末は測定した干渉情報を基地局に報告する。
【００８５】
ステップ２４０４で、Advanced基地局は報告された干渉情報から、上記にようにUL送信電力値を決定し、ステップ２４０５でAdvanced端末にUL送信電力値を指示する。
【００８６】
ステップ２４０６で、Advanced端末は指示されたUL送信電力値からUL送信電力を補正し、ステップ２４０７でUL送信を行う。
【００８７】
Legacy基地局のトラヒックが多くＡ同期信号の干渉が大きい場合、端末から報告される干渉情報では、干渉が大きいと判断される。その場合、セルエッジにいると判断しUL送信電力を下げる。一方、端末が同じ位置で、Legacy基地局のトラヒックが少なくＡ同期信号の干渉が小さい場合、端末から報告される干渉情報では、干渉が小さいと判断される。その場合、セル中心に近いと判断しUL送信電力を上げる。つまり、端末の位置が同じであればUL送信電力は安定し安定したスループットが得られるはずだが、Legacy基地局のトラヒックの有無でUL送信電力が不安定になりスループットが変動する。
【００８８】
本実施例に係るAdvanced基地局のソフトウェア構成を図２５に示す。実施例２では、図２５に示すブロック図のように、実施例１のソフトウェア構成図の図１０においてDL電力制御部１０１２が省略され、干渉情報補正部２５１２を備える構成となっている。
【００８９】
本実施例に係るAdvanced基地局のハードウェア構成を図２６に示す。実施例２では、図２６に示すブロック図のように、実施例１のハードウェア構成図の図１１においてDL電力制御プログラム１１１２がなく干渉情報補正プログラム２６１２を備える構成となっている。
【００９０】
実施例２では、端末から受信した干渉情報からAdvanced基地局、Legacy基地局どちらからの干渉が支配的かを判定し、Legacy基地局からの干渉が支配的な場合、報告された干渉情報を補正することを特徴とする。
【００９１】
図２５のAdvanced基地局の干渉情報補正部２５１２では、Legacy基地局からの干渉が支配的な場合に、隣接基地局がAdvanced基地局相当の干渉情報となるように補正する。
【００９２】
図２７に、この補正処理のフローチャートを示す。ステップ２７０１では、干渉源推定部２５１１で推定した干渉源情報を用いて、干渉情報テーブル１０３の干渉源欄１９０３が1の端末を抽出する。
【００９３】
ステップ２７０２では、ステップ２７０１で抽出した端末iにおいて、UL電力制御に使用する干渉情報、つまりSIRの平均値SIR＿ave＿iを抽出する。ただし、抽出する干渉情報はUL電力制御に使用するものであればこれに限定するものではない。
【００９４】
ステップ２７０３では、ステップ２７０２で抽出したSIRの平均値を以下のように時間軸で重み付け平均しSIR＿weight＿iを計算する。
SIR＿weight＿i=w（t)SIR＿ave＿i（t)+ w（t-1)SIR＿ave＿i（ｔ−１）＋…
−  −  −  数式5
ここで、SIR＿ave＿i（t)は端末iの時刻tにおけるSIRの平均値、w（t)は重みである。隣接がAdvanced基地局の場合、Ａ同期信号が干渉するため常に干渉を受けるため、本来のUL電力制御では、干渉を受けている状態の干渉情報のほうが精度が高いことになる。よって、重みw（t)は、SIR＿ave＿i（t)が小さく干渉を受けている場合は大きく、SIR＿ave＿i（t)が大きく干渉を受けていない場合は小さく設定する。ただし、ステップ２７０３の平均化方法は端末から報告される干渉情報を値の大小によって重み付け平均するものであればこれに限定するものではない。
【００９５】
ステップ２７０４では、ステップ２７０３で重み付け平均した干渉情報をAdvanced基地局から受けた干渉相当に変換する。Legacy基地局におけるトラヒックに対するAdvanced基地局におけるＡ同期信号の送信電力のブースト値をBとすると、以下のように変換する。
SIR＿conv=SIR＿weight*B  −  −  −  数式6
ここで、SIR＿convは変換後のSIRである。ただし、干渉情報の変換方法は、Legacy基地局からの干渉情報と考えられる端末からの報告値をAdvanced基地局からの干渉相当に変換するために、Legacy基地局のトラヒックの送信電力に対してAdvanced基地局のＡ同期信号相当に変換するものであればこれに限定するものではない。
【００９６】
実施例２では、端末から報告される干渉情報について、Legacy基地局、Advanced基地局どちらからの干渉が支配的かを推定し、Legacy基地局からの干渉が支配的であると推定された場合、報告値を、Advanced基地局から受けている干渉情報相当に変換することで、Legacy基地局のトラヒック依存でUL送信電力制御に使用する干渉情報の変動が抑圧され、UL送信電力が安定しスループットの変動を抑圧することが可能となる。
【符号の説明】
【００９７】
１０１、１２０１、２５０１  回線インタフェース
１０２、１２０２、１４０２、２５０２  上位レイヤ制御部
１０３、１２０３、２５０３  スケジューリング部
１０４、１２０４、１４０４、２５０４  Downlinkベースバンド処理部
１０５、１２０５、１４０５、２５０４  Uplinkベースバンド処理部
１０６、１２０６、１４０６、２５０６  送信RF部
１０７、１２０７、１４０７、２５０７  受信RF部
１０８、１２０８、１４０８、２５０８  スイッチ
１０９、１２０９、１４０９、２５０９  アンテナ
１１０、１２１０、１４１０、２５１０  コントローラ
１１１、２５１１  干渉源推定部
１１２  DL電力制御部
２０１  ルータ
２０２  ＧＷ
２０３  ＮＷ
２０ｂ１〜２０ｂＮ、３０２、３０４  基地局
２０ｍ１、２０ｍ２  端末
２ｃ１〜２ｃＮ、３０１、３０３  セル
３０１L、１１０１L  Legacy基地局
３０１A、１１０１A  Advanced基地局
３０２L  Legacy端末
３０２A  Advanced端末
１００１  干渉情報集計部
１００２  Advanced/Legacy判別部
１００３  干渉情報テーブル
１１０１、１３０１、１５０１、２６０１  プロセッサ
１１０２、１３０２、１５０２、２６０２  メモリ
１１０２ａ、２６０２ａ  干渉源推定プログラム
１１０２ｂ  DL電力制御プログラム
１１０３、１３０３、１５０３、２６０３  送受信機
１１０４、１３０４、１５０４、２６０４  Ｉ／Ｆ
１１０５、１３０５、１６０５、２６０５  ネットワーク
１１０６、１３０６、１６０６、２６０６  データメモリ
１４０１、２４０１  インタフェース
１４１３、２４１３  受信品質測定部
１５０５  ユーザインタフェース
１６０２  接続端末計算プログラム
１６０１  干渉値算出部
１６０２  電力制御値決定部
１６０３  DL電力制御テーブル
２５１２  干渉情報補正部
２６０２ｂ  干渉情報補正プログラム
【図１】
2012160986.tif 000003
【図２】
2012160986.tif 000004
【図３】
2012160986.tif 000005
【図４】
2012160986.tif 000006
【図５】
2012160986.tif 000007
【図６】
2012160986.tif 000008
【図７】
2012160986.tif 000009
【図８】
2012160986.tif 000010
【図９】
2012160986.tif 000011
【図１０】
2012160986.tif 000012
【図１１】
2012160986.tif 000013
【図１２】
2012160986.tif 000014
【図１３】
2012160986.tif 000015
【図１４】
2012160986.tif 000016
【図１５】
2012160986.tif 000017
【図１６】
2012160986.tif 000018
【図１７】
2012160986.tif 000019
【図１８】
2012160986.tif 000020
【図１９】
2012160986.tif 000021
【図２０】
2012160986.tif 000022
【図２１】
2012160986.tif 000023
【図２２】
2012160986.tif 000024
【図２３】
2012160986.tif 000025
【図２４】
2012160986.tif 000026
【図２５】
2012160986.tif 000027
【図２６】
2012160986.tif 000028
【図２７】
2012160986.tif 000029